(57)【要約】【課題】本発明は、ケア体の強度を十分に確保した上で、ケア体を構成する複数のケア部に、口腔組成物吐出体内に収容された口腔組成物を効率良く供給することの可能な歯間ケア用具を提供することを目的とする。【解決手段】ケア体１２は、吐出用貫通部１９から吐出された口腔組成物を受け取ることが可能な位置に設けられ、ケア部２６に口腔組成物が向かうように、口腔組成物を誘導する誘導部２７を有する。【選択図】図１
2015204905.tif 000002
【特許請求の範囲】
【請求項１】
内部に口腔組成物が収容される中空部、及び該中空部に到達するように一方の端部を貫通し、前記口腔組成物を吐出する吐出用貫通部を含む口腔組成物吐出体と、
所定の方向に延在する支持部、及び該支持部の外周面から突出するケア部を含み、前記吐出用貫通部の一端を露出するように、前記口腔組成物吐出体の前記一方の端部に配置されたケア体と、
を有し、
前記ケア体は、前記吐出用貫通部から吐出された前記口腔組成物を受け取ることが可能な位置に設けられ、前記ケア部に前記口腔組成物が向かうように、前記口腔組成物を誘導する誘導部を有することを特徴とする歯間ケア用具。
【請求項２】
前記誘導部は、前記ケア体の外周面から突出すると共に、前記所定の方向に延在し、かつ対向配置された一対のガイド壁と、該一対のガイド壁間に配置された前記ケア体と、で区画された溝部であることを特徴とする請求項１記載の歯間ケア用具。
【請求項３】
前記吐出用貫通部は、前記口腔組成物吐出体から露出され、前記誘導部に前記口腔組成物を吐出する吐出口を有し、
前記吐出口を前記一対のガイド壁間に配置することを特徴とする請求項２記載の歯間ケア用具。
【請求項４】
前記誘導部は、前記所定の方向に延在する前記ケア体に設けられた凹部であることを特徴とする請求項１記載の歯間ケア用具。
【請求項５】
前記ケア部は、前記支持部の周方向、及び前記所定の方向に対して複数配置されており、
前記誘導部は、少なくとも前記口腔組成物吐出体の一方の端部と、前記所定の方向に配置された複数の前記ケア部のうち、前記口腔組成物吐出体の前記一方の端部に対して最も近くに配置された前記ケア部と、の間に配置することを特徴とする請求項１ないし４のうち、いずれか１項記載の歯間ケア用具。
【請求項６】
前記ケア部は、前記所定の方向に延在する羽状ケア部であり、
前記羽根状ケア部は、前記支持部の外周面に複数配置されており、
前記誘導部は、前記吐出用貫通部を構成する吐出口を挟み込むように、隣接して配置された２つの前記羽根状ケア部と、該２つの羽根状ケア部間に配置された前記ケア体と、で区画された溝部であることを特徴とする請求項１記載の歯間ケア用具。
【請求項７】
前記ケア体は、前記所定の方向に延在し、かつ合成樹脂よりなる芯部を有し、
前記支持部は、前記芯部を覆うように配置されており、
前記支持部及び前記ケア部の材料は、軟質素材であることを特徴とする請求項１ないし６のうち、いずれか１項記載の歯間ケア用具。
【発明の詳細な説明】
【技術分野】
【０００１】
本発明は、ケア体を構成する複数のケア部に、口腔組成物吐出体内に収容された口腔組成物を供給し、該複数のケア部により、歯間のケアを行う歯間ケア用具に関する。
【背景技術】
【０００２】
歯間ケア用具である歯間ブラシは、歯ブラシでは取り除きにくい歯と歯の間の挟まった食物残渣や歯垢等の汚れを効率良く除去したり、歯間部の歯肉をマッサージしたりするためのツールである。
また、歯間部には歯周病の原因菌等が多く潜んでいる。このため、従来、歯間ブラシのブラシに口腔内組成物を付着させて、歯間のケアを行うことが実施されている。
【０００３】
しかしながら、通常の歯間ブラシでは、ケア部に口腔内組成物を保持させることが困難であるため、口腔内組成物を保持するケア部を歯間へ挿入する前の段階で、ケア部から口腔内組成物が簡単に取れてしまうという問題があった。
また、歯間ケアする度に、ケア部に口腔内組成物を保持させる作業を繰り返すことは煩雑である。
【０００４】
このような問題を解決可能な従来技術として、特許文献１〜３がある。
特許文献１には、フィラメントをワイヤに挟んだ後、該ワイヤを捻ってなるブラシと、ワイヤを埋没する挿通孔を形成した合成樹脂製の柄と、からなる歯間ブラシにおいて、柄の内部に挿通孔と連通する室を形成すると共に、室に到達する毛管を挿通孔に嵌挿した上、該毛管にブラシのワイヤを埋没して柄に固定させ、さらに、室に液ハミガキを充填した歯間ブラシが開示されている。
【０００５】
特許文献２には、弾性を有する材料で空洞を有する把手を形成し、該空洞に薬液類を収容すると共に、歯間ブラシ基部を把手一端開口部に嵌脱かつ密封可能に嵌着する一方、ブラシ基部と空洞とを連通する薬液供給小孔を穿設して、その一端をブラシ基部に開口させた歯間清掃具が開示されている。
【０００６】
特許文献３には、ケア体である歯間ブラシ体の軸部内部に設けられた流通路に、薬剤を供給する薬剤一体型ケア具が開示されている。
【先行技術文献】
【特許文献】
【０００７】
【特許文献１】特許第３８４４２６１号公報
【特許文献２】実開昭６３−１９４６３３号公報
【特許文献３】国際公開第２０１２／０１８０３０号
【発明の概要】
【発明が解決しようとする課題】
【０００８】
しかしながら、特許文献１に開示された歯間ブラシでは、ワイヤが挿入される挿通孔（ワイヤを固定する孔）を介して、ブラシに液ハミガキを供給する構成とされているため、ワイヤの固定を優先すると、ブラシに液ハミガキを供給しにくいという問題があった。
【０００９】
特許文献２に開示された歯間清掃具では、薬液供給小孔とブラシ毛と離間して配置されているため、薬液供給小孔から供給された薬液類をブラシ毛まで供給することが困難であるという問題があった。
【００１０】
特許文献３に開示された薬剤一体型ケア具では、ケア体である歯間ブラシ体の軸部内部に薬剤を流通させるための流通路を設けているため、ケア体の強度を十分に得ることができないという問題があった。
【００１１】
本発明は上記問題に鑑みてなされたものであり、ケア体の強度を十分に確保した上で、ケア体を構成する複数のケア部に、口腔組成物吐出体内に収容された口腔組成物を効率良く供給することの可能な歯間ケア用具を提供することを目的とする。
【課題を解決するための手段】
【００１２】
上記課題を解決するため、本発明の一態様に係る歯間ケア用具は、内部に口腔組成物が収容される中空部、及び該中空部に到達するように一方の端部を貫通し、前記口腔組成物を吐出する吐出用貫通部を含む口腔組成物吐出体と、所定の方向に延在する支持部、及び該支持部の外周面から突出するケア部を含み、前記吐出用貫通部の一端を露出するように、前記口腔組成物吐出体の前記一方の端部に配置されたケア体と、を有し、前記ケア体は、前記吐出用貫通部から吐出された前記口腔組成物を受け取ることが可能な位置に設けられ、前記ケア部に前記口腔組成物が向かうように、前記口腔組成物を誘導する誘導部を有することを特徴とする。
【００１３】
また、上記本発明の一態様に係る歯間ケア用具において、前記誘導部は、前記ケア体の外周面から突出すると共に、前記所定の方向に延在し、かつ対向配置された一対のガイド壁と、該一対のガイド壁間に配置された前記ケア体と、で区画された溝部であってもよい。
【００１４】
また、上記本発明の一態様に係る歯間ケア用具において、前記吐出用貫通部は、前記口腔組成物吐出体から露出され、前記誘導部に前記口腔組成物を吐出する吐出口を有し、
前記吐出口を前記一対のガイド壁間に配置してもよい。
【００１５】
また、上記本発明の一態様に係る歯間ケア用具において、前記誘導部は、前記所定の方向に延在する前記ケア体に設けられた凹部であってもよい。
【００１６】
また、上記本発明の一態様に係る歯間ケア用具において、前記ケア部は、前記支持部の周方向、及び前記所定の方向に対して複数配置されており、前記誘導部は、少なくとも前記口腔組成物吐出体の一方の端部と、前記所定の方向に配置された複数の前記ケア部のうち、前記口腔組成物吐出体の前記一方の端部に対して最も近くに配置された前記ケア部と、の間に配置してもよい。
【００１７】
また、上記本発明の一態様に係る歯間ケア用具において、前記ケア部は、前記所定の方向に延在する羽状ケア部であり、前記羽根状ケア部は、前記支持部の外周面に複数配置されており、前記誘導部は、前記吐出用貫通部を構成する吐出口を挟み込むように、隣接して配置された２つの前記羽根状ケア部と、該２つの羽根状ケア部間に配置された前記ケア体と、で区画された溝部であってもよい。
【００１８】
また、上記本発明の一態様に係る歯間ケア用具において、前記ケア体は、前記所定の方向に延在し、かつ合成樹脂よりなる芯部を有し、前記支持部は、前記芯部を覆うように配置されており、前記支持部及び前記ケア部の材料は、軟質素材であってもよい。
【発明の効果】
【００１９】
本発明の歯間ケア用具によれば、内部にケア部に口腔組成物を輸送するための流通路がないケア体を用いることで、ケア体の強度を十分に確保できると共に、ケア体を構成するケア部に、口腔組成物吐出体内に収容された口腔組成物を効率良く供給することができる。
【図面の簡単な説明】
【００２０】
【図１】本発明の第１の実施の形態に係る歯間ケア用具の側面図である。
【図２】図１に示す歯間ケア用具をＢ視した図である。
【図３】図１に示す歯間ケア用具のＡ−Ａ線方向の切断面をＣ視した図である。
【図４】第１の実施の形態の第１変形例に係る誘導部を説明するための図である。
【図５】吐出用貫通部の他の例を説明するための図である。
【図６】第１の実施の形態の第２変形例に係る誘導部、及び吐出用貫通部のその他の例を説明するための図である。
【図７】本発明の第２の実施の形態に係る歯間ケア用具の側面図である。
【図８】図７に示す歯間ケア用具をＤ視した図である。
【図９】本発明の第３の実施の形態に係る歯間ケア用具の側面図である。
【図１０】図９に示す歯間ケア用具をＦ視した図である。
【図１１】図９に示す歯間ケア用具のＥ−Ｅ線方向の切断面をＧ視した図である。
【図１２】本発明の第４の実施の形態に係る歯間ケア用具の側面図である。
【図１３】図１２に示す歯間ケア用具をＨ視した図である。
【図１４】第４の実施の形態の変形例に係るケア体の側面図である。
【図１５】図１４に示すケア体のＩ−Ｉ線方向の断面図である。
【図１６】本発明の第５の実施の形態に係る歯間ケア用具の側面図である。
【図１７】図１６に示す歯間ケア用具のＪ−Ｊ線方向の断面をＫ視した図である。
【図１８】本発明の第６の実施の形態に係る歯間ケア用具の側面図であり、歯間ケア用具を構成する本体部からキャップ部を外した状態を模式的に示す図である。
【図１９】図１８に示すキャップ部を本体部に装着させた歯間ケア用具の側面図である。
【発明を実施するための形態】
【００２１】
以下、図面を参照して本発明を適用した実施の形態について詳細に説明する。なお、以下の説明で用いる図面は、本発明の実施形態の構成を説明するためのものであり、図示される各部の大きさや厚さや寸法等は、実際の歯間ケア用具の寸法関係とは異なる場合がある。
【００２２】
（第１の実施の形態）
図１は、本発明の第１の実施の形態に係る歯間ケア用具の側面図である。図２は、図１に示す歯間ケア用具をＢ視した図である。
図１及び図２では、中空部１６に口腔組成物を充填する前の段階（言い換えれば、充填用貫通部１８を消滅させる前の段階）の歯間ケア用具１０を図示する。
図１に示すＺ方向は、一対のガイド壁３１，３２の突出方向（言い換えれば、上下方向）を示している。図１及び図２に示すＸ方向は、Ｙ方向及びＺ方向に対して直交する方向であり、ケア体１２を構成する支持部２４の延在方向（所定の方向）を示している。
図２に示すＹ方向は、Ｘ方向と直交する方向（言い換えれば、一対のガイド壁３１，３２の配置方向）を示している。図２において、図１に示す構造体と同一構成部分には、同一符号を付す。また、図２では、図１に点線で示す芯部２３の図示を省略する。
【００２３】
図１及び図２を参照するに、第１の実施の形態の歯間ケア用具１０は、口腔組成物吐出体１１と、ケア体１２と、を有する。
口腔組成物吐出体１１は、口腔組成物を収容でき、かつ該口腔組成物を吐出可能なものであれば特に限定されない。口腔組成物吐出体１１としては、例えば、ボトルやフィルムによるピロー包装等を用いることができる。
口腔組成物吐出体１１は、本体部１５と、中空部１６と、充填用貫通部１８と、吐出用貫通部１９と、を有する。
本体部１５は、中空部１６、充填用貫通部１８、及び吐出用貫通部１９を区画するための容器であり、Ｘ方向に延在している。本体部１５は、その先端側にケア体１２が接続される平坦な面である接続面１５ａを有する。
【００２４】
本体部１５は、後述する芯部２３と一体としてもよいし、別体としてもよい。
本体部１５と芯部２３とを一体成型する場合、本体部１５の材料としては、例えば、芯部２３と同じ材料を用いることができる。
本体部１５と芯部２３とを別々に成型する場合には、本体部１５の材料としては、例えば、低密度ポリエチレン樹脂、ポリプロピレン樹脂、エチレン−酢酸ビニル共重合樹脂、エチレン−ポリビニルアルコール共重合樹脂、ナイロン等を単独、或いは２種以上を混合させた混合物を用いることができる。
また、本体部１５と芯部２３とを別々に成型する場合には、本体部１５の材料として、アルミ箔とプラスチックフィルムを貼り合せたラミネートを用いてもよい。
【００２５】
中空部１６は、本体部１５内に設けられており、Ｘ方向に延在している。中空部１６には、図示していない口腔組成物を収容するための空間である。
ここで、該口腔組成物について説明する。上記口腔組成物としては、例えば、液体歯磨き剤や口腔内に用いられる有効成分を含有する薬液を用いることができる。
該有効成分としては、例えば、歯質強化成分、殺菌成分、抗炎症成分、抗酸化成分、血流促進成分等を用いることができる。
【００２６】
上記歯質強化成分としては、例えば、フッ化ナトリウム、モノフルオロリン酸ナトリウム、フッ化スズ等のフッ素化合物等を用いることができる。
上記殺菌成分としては、例えば、フェノール、イソプロピルメチルフェノール、トリクロサン、第４級アンモニウム塩系殺菌剤である塩化セチルピリジウム、塩化ベンザルコニウム、塩化ベンゼトニウム、塩化デカリニウム、ビグアナイド系殺菌剤のグルコン酸クロルヘキシジン等を用いることができる。
上記抗炎症成分としては、例えば、トラネキサム酸、イプシロンカプロン酸、β−グリチルリチン酸、グリチルリチン酸ジカリウム、アズレン、サリチル酸メチル、サリチル酸グリコール、ケトプロフェン等を用いることができる。
【００２７】
上記抗酸化成分としては、例えば、アスコルビン酸、リン酸アスコルビルマグネシウムなどのビタミンＣ誘導体等を用いることができる。
上記血流促進成分としては、例えば、メントール、トコフェロール、酢酸トコフェロール、ニコチン酸トコフェロール等を用いることができる。
上記止血成分としては、例えば、アラントイン、アラントインクロルヒドロキシアルミニウム等を用いることができる。
【００２８】
また、上記口腔組成物の状態としては、例えば、流動性があり、本体部１５を押圧することで、吐出用貫通部１９を介して、本体部１５の外に吐出させることが可能な状態であればよい。
このような口腔組成物の状態としては、例えば、液体、ジェル状、クリーム状等を例示することができるが、吐出性やケア部２６に対する塗布性を考慮すると、液体或いはジェル状が好ましい。
【００２９】
充填用貫通部１８は、本体部１５の後端を貫通するように設けられており、一方の端が中空部１６に到達している。
充填用貫通部１８は、中空部１６に口腔組成物を充填後、充填用貫通部１８に露出された本体部１５を接合させることで、消滅する貫通部である。
充填用貫通部１８の形状は、例えば、円柱形状にすることができる。この場合、充填用貫通部１８の直径は、口腔組成物の粘度に依存するが、例えば、１ｍｍとすることができる。
【００３０】
図３は、図１に示す歯間ケア用具のＡ−Ａ線方向の切断面をＣ視した図である。図３において、図１及び図２に示す構造体と同一構成部分には、同一符号を付す。
【００３１】
図１〜図３を参照するに、吐出用貫通部１９は、本体部１５の先端（言い換えれば、一方の端部）を貫通するように設けられている。
吐出用貫通部１９は、一方の端である吐出口１９Ａが接続面１５ａ（言い換えれば、本体部１５）から露出され、他方の端が中空部１６に到達している。
吐出口１９Ａは、誘導部２７に口腔組成物を吐出する部分であり、吐出用貫通部１９の一部を構成している。吐出口１９Ａは、ケア体１２の芯部２３の直上であって、かつ誘導部２７を構成する一対のガイド壁３１，３２間に配置されている。
このように、誘導部２７を構成する一対のガイド壁３１，３２間に、誘導部２７に口腔組成物を吐出する吐出口１９Ａを配置させることで、吐出口１９Ａから吐出される口腔組成物を誘導部２７に効率良く供給することができる。
【００３２】
吐出用貫通部１９の形状は、例えば、円柱形状にすることができる。この場合、吐出口１９Ａを含む吐出用貫通部１９の直径は、例えば、２００〜６００μｍの範囲内で適宜設定することができる。
【００３３】
ケア体１２は、芯部２３と、支持部２４と、ケア部２６と、誘導部２７と、を有する。
芯部２３は、本体部１５の接続面１５ａに設けられている。芯部２３は、接続面１５ａから離間するＸ方向に延在している。
芯部２３の形状は、例えば、接続面１５ａから離間するにつれて、その直径が小さくなるような円錐台形状にすることができる。芯部２３は、本体部１５と一体に構成してもよいし、別体としてもよい。
【００３４】
芯部２３の材料としては、例えば、金型成型の容易な樹脂である合成樹脂を用いるとよい。芯部２３の材料となる合成樹脂としては、例えば、ポリスチレン樹脂、ポリプロピレン樹脂、ポリエチレン樹脂、ポリエチレンテレフタレート樹脂、アクリロニトリルブタジエンスチレン樹脂、セルロースプロピオネート樹脂、ポリアリレート樹脂、飽和ポリエステル樹脂、ポリカーボネート樹脂、アクリロニトリルスチレン樹脂、ポリアセタール樹脂、ポリブチレンテレフタレート、生分解性樹脂等の樹脂を単独、或いは２種以上を混合させた混合物を用いることができる。
【００３５】
支持部２４は、芯部２３の表面のうち、誘導部２７を構成する一対のガイド壁３１，３２間に配置された湾曲した表面２３ａを露出させた状態で、表面２３ａ以外の芯部２３の表面を覆うように配置されている。
これにより、支持部２４は、Ｘ方向（所定の方向）に延在している。
【００３６】
ケア部２６は、支持部２４の外周面に設けられており、Ｘ方向に対して複数配置されている。複数のケア部２６は、本体部１５の接続面１５ａから離間するにつれてサイズが小さくなるように構成されている。複数のケア部２６は、支持部２４と一体に構成（言い換えれば、一体成型）されている。
複数のケア部２６の形状は、例えば、薄板リング形状とすることができる。このように、複数のケア部２６の形状を薄板リング形状にすることで、歯間の汚れを掻き出す効果を向上させることができる。
【００３７】
誘導部２７は、一対のガイド壁３１，３２と、一対のガイド壁３１，３２間に配置された芯部２３の表面２３ａと、で構成されている。
一対のガイド壁３１，３２は、複数のケア部２６のうち、本体部１５に最も近接して配置されたケア部２６（以下、説明の便宜上、この「ケア部２６」を「ケア部２６−１」という（図１及び図２参照））と、本体部１５の接続面１５ａと、の間に位置する支持部２４の両端（言い換えれば、支持部２４の外周面）からＺ方向に突出している。
【００３８】
一対のガイド壁３１，３２は、支持部２４と一体に構成されている。一対のガイド壁３１，３２は、Ｙ方向において、対向するように配置されている。一対のガイド壁３１，３２は、吐出口１９Ａを挟み込むように配置されている。
一対のガイド壁３１，３２は、その一方の端が本体部１５の接続面１５ａと接続されており、他方の端がケア部２６−１と接続されている。
【００３９】
このように、一方の端が本体部１５の接続面１５ａと接続され、他方の端がケア部２６−１と接続され、かつ対向配置された一対のガイド壁３１，３２を設けることで、一対のガイド壁３１，３２、及び芯部２３の表面２３ａで区画された溝部を構成することが可能となるので、該溝部により、吐出口１９Ａから吐出された口腔組成物をケア部２６−１に対して確実に供給することができる。
【００４０】
また、誘導部２７は、芯部２３の径の一部を細くすることで、ケア部２６−１に口腔組成物を供給する溝部を区画するのではなく、ケア部２６−１と本体部１５の接続面１５ａとの間に位置する支持部２４の両端からＺ方向に突出する一対のガイド壁３１，３２を設けることで、ケア部２６−１に口腔組成物を供給する溝部を区画している。
このため、誘導部２７を設けることで、芯部２３の太さが細くなることがないため、芯部２３の強度を十分に保つことができる。
【００４１】
つまり、上記誘導部２７を用いることで、ケア体１２の内部に口腔組成物を輸送する流通路を形成する必要がないため、ケア体１２の強度を十分に確保できると共に、ケア体１２を構成するケア部２６−１に、口腔組成物吐出体１１内に収容された口腔組成物を効率良く供給することができる。
【００４２】
Ｙ方向における一対のガイド壁３１，３２の厚さは、例えば、支持部２４と同じ厚さにすることができる。具体的には、Ｙ方向における一対のガイド壁３１，３２の厚さは、例えば、２００μｍとすることができる。
また、吐出口１９Ａの直径が４００μｍの場合、芯部２３の表面のうち、支持部２４で覆われた部分と表面２３ａとの境界を基準としたときのＺ方向における一対のガイド壁３１，３２の高さは、例えば、８００μｍとすることができる。
この場合、一対のガイド壁３１，３２、及び表面２３ａで区画される溝部のＹ方向の幅は、例えば、９００μｍとすることができる。
【００４３】
上記説明した支持部２４、ケア部２６、及び一対のガイド壁３１，３２の材料としては、例えば、軟質素材を用いることができる。
このように、支持部２４及びケア部２６の材料として、軟質素材を用いることで、歯間部にケア体１２を挿入する際に、ケア体１２により、歯間に位置する歯肉が傷付くことを抑制できると共に、該歯肉をマッサージする効果も得ることができる。
【００４４】
支持部２４、ケア部２６、及び一対のガイド壁３１，３２の材料となる軟質材料としては、例えば、オレフィン系エラストマー、塩化ビニル系エラストマー、スチレン系エラストマー、ウレタン系エラストマー、ポリエステル系エラストマー、ポリアミド系エラストマー等の熱可塑性エラストマー樹脂、或いは、シリコンゴム、ウレタンゴム、天然ゴム、合成ゴムなどの熱硬化性エラストマーを用いることができる。
【００４５】
第１の実施の形態の歯間ケア用具によれば、内部に口腔組成物が収容される中空部１６、及び中空部１６に到達するように一方の端部を貫通し、口腔組成物を吐出する吐出用貫通部１９を含む口腔組成物吐出体１１と、Ｘ方向に延在する支持部２４、及び支持部２４の外周面から突出する複数のケア部２６（ケア部２６−１も含む）を含み、吐出用貫通部１９の吐出口１９Ａ（吐出用貫通部１９の一端）を露出するように、口腔組成物吐出体１１の一方の端部に配置されたケア体１２と、を有し、ケア体１２が、吐出用貫通部１９から吐出された口腔組成物を受け取ることが可能な位置に設けられ、ケア部２６−１に口腔組成物が向かうように、口腔組成物を誘導する誘導部２７を含むことにより、ケア体１２の内部に口腔組成物を輸送する流通路を設ける必要がなくなるため、ケア体１２の強度を十分に確保できると共に、ケア体１２を構成するケア部２６−１に、口腔組成物吐出体１１内に収容された口腔組成物を効率良く供給することができる。
【００４６】
また、一対のガイド壁３１，３２と、一対のガイド壁３１，３２間に配置された芯部２３の表面２３ａと、で誘導部２７を構成することで、芯部２３の径の一部を細くすることなく、誘導部２７を構成することが可能となる。
これにより、芯部２３の強度を低下させることなく、ケア部２６−１に口腔組成物を誘導する誘導部２７を構成することができる。
【００４７】
なお、第１の実施の形態では、一対のガイド壁３１，３２、及び芯部２３の表面２３ａにより、誘導部２７を構成した場合を例に挙げて説明したが、誘導部２７に替えて、誘導部２７の形成領域に対応する芯部２３に、凹部（図示せず）を設け、該凹部を誘導部として用いてもよい。
【００４８】
この場合、ケア体である歯間ブラシ体の軸部内部に口腔組成物を流通させるための流通路を有する特許文献３に開示された薬剤一体型ケア具のケア体と比較して、ケア体の強度を十分に確保することが可能となる。
したがって、この場合、ケア体の強度を十分に確保した上で、ケア体を構成するケア部に、口腔組成物吐出体内に収容された口腔組成物を効率良く供給することができる。
【００４９】
図４は、第１の実施の形態の第１変形例に係る誘導部を説明するための図である。図４において、図３に示す構造体と同一構成部分には、同一符号を付す。
【００５０】
図４を参照するに、第１の実施の形態の第１変形例に係る誘導部３５は、表面２３ａに替えて、平坦面２３ｂを有すること以外は、図３に示す第１の実施の形態の誘導部２７と同様に構成される。
平坦面２３ｂは、一対のガイド壁３１，３２間に位置する芯部２３を平坦にすることで形成される面である。
【００５１】
このように、一対のガイド壁３１，３２、及び芯部２３の平坦面２３ｂにより構成された誘導部３５を有することで、図３に示す湾曲した表面２３ａを構成要素とする誘導部２７よりも、図１及び図２に示すケア部２６−１に向かう方向に口腔組成物を流れやすくすることが可能となるため、ケア部２６−１に口腔組成物をさらに効率良く供給することができる。
【００５２】
なお、図４では、図３に示す吐出口１９Ａの位置を変更していないため、Ｚ方向に対して平坦面２３ｂと吐出口１９Ａとが離間しているが、図４に示す吐出口１９Ａの位置を下方に下げて、平坦面２３ｂと吐出口１９Ａとを近接して配置してもよい。
また、先に説明した図３において、吐出口１９Ａを芯部２３の表面２３ａの上方に配置することで、吐出口１９Ａと表面２３ａとを離間して配置させてもよいが、吐出口１９Ａと芯部２３の表面２３ａとを近接して配置することが好ましい。
【００５３】
図５は、吐出用貫通部の他の例を説明するための図である。図５において、図４に示す構造体と同一構成部分には、同一符号を付す。
【００５４】
図５を参照するに、他の吐出用貫通部３８は、図３に示す吐出用貫通部１９とは形状が異なること以外は、吐出用貫通部１９と同様に構成される。
吐出用貫通部３８の形状は、四角柱とされている。吐出用貫通部３８を構成する吐出口３８Ａは、長方形とされており、接続面１５ａから露出されている。吐出口３８Ａは、平坦面２３ｂの直上に配置されている。
Ｙ方向における吐出口３８Ａの幅は、一対のガイド壁３１，３２間の幅と等しくなるように構成されている。
【００５５】
このように、平坦面２３ｂを有する誘導部３５と、平坦面２３ｂの直上に配置され、Ｙ方向の幅が一対のガイド壁３１，３２間の幅と等しく、かつ長方形とされた吐出口３８Ａを含む吐出用貫通部３８と、を有することにより、図３及び図４に示す構造体と比較して、ケア部２６−１に、より多くの量の口腔組成物を効率良く供給することができる。
【００５６】
平坦面２３ｂを基準としたときのＺ方向の吐出口３８Ａの高さは、一対のガイド壁３１，３２の高さよりも低くなるように構成されている。
平坦面２３ｂを基準としたときのＺ方向の一対のガイド壁３１，３２の高さが８００μｍの場合、平坦面２３ｂを基準としたときのＺ方向の吐出口３８Ａの高さは、例えば、４００μｍとすることができる。
なお、先に説明した図３に示す構造体において、図３に示す吐出用貫通部１９に替えて、図５に示す吐出用貫通部３８を用いてもよい。
【００５７】
図６は、第１の実施の形態の第２変形例に係る誘導部、及び吐出用貫通部のその他の例を説明するための図である。図６において、図４に示す構造体と同一構成部分には、同一符号を付す。
【００５８】
図６を参照するに、第１の実施の形態の第２変形例に係る誘導部４１は、一対のガイド壁３１，３２を平坦面２３ｂから上方に離間するにつれて、一対のガイド壁３１，３２間の距離が広くなるように、一対のガイド壁３１，３２を逆ハの字型に配置させたこと以外は、図４に示す誘導部３５と同様に構成される。
【００５９】
このように、一対のガイド壁３１，３２を逆ハの字型に配置させることで、図３〜図５に示す構造体と比較して、一対のガイド壁３１，３２、及び平坦面２３ｂで区画された溝部に、より多くの量の口腔組成物を収容させることが可能となるので、該溝部を介して、ケア部２６−１により多くの量の口腔組成物を供給することができる。
【００６０】
図６を参照するに、その他の吐出用貫通部４３は、円柱を半割した形状とされていること以外は、図４に示す吐出用貫通部１９と同様に構成されている。吐出用貫通部４３を構成する半円形状とされた吐出口４３Ａは、その直線部分が平坦面２３ｂと重なるように配置されている。
このように、平坦面２３ｂ側に向かうにつれて幅が広くなる吐出口４３Ａを有することで、本体部１５（図１及び図２参照）内に収容された口腔組成物を誘導部４１に吐出させやすくすることができる。
【００６１】
なお、図３〜図５に示す一対のガイド壁３１，３２を、図６に示す一対のガイド壁３１，３２のように逆ハの字型に配置させてもよい。
また、先に説明した図３及び図４に示す構造体において、該構造体を構成する吐出用貫通部１９に替えて、図６に示す吐出用貫通部４３を用いてもよい。
【００６２】
ここで、第１の実施の形態の歯間ケア用具１０の製造方法を簡単に説明する。
始めに、合成樹脂を口腔組成物吐出体１１及び芯部２３の母材とする射出成型により、図示していない第１の金型（口腔組成物吐出体１１及び芯部２３の形状に対応する中空部を有する金型）内に該合成樹脂を射出することで、口腔組成物吐出体１１及び芯部２３を成型する。
次いで、第１の金型から、一体成型された口腔組成物吐出体１１及び芯部２３を取り出す。次いで、歯間ケア用具１０の形状に対応した中空部を有する第２の金型（図示せず）内の中空部に、成型された口腔組成物吐出体１１及び芯部２３を収容させる。
【００６３】
次いで、軟質素材を支持部２４及び複数のケア部２６の母材とする射出成型により、第２の金型内に該軟質素材を射出することで、支持部２４及び複数のケア部２６を成型する。
次いで、第２の金型から、歯間ケア用具１０を取り出すことで、歯間ケア用具１０が製造される。
その後、歯間ケア用具１０の充填用貫通部１８を介して、中空部１６に口腔組成物を充填し、熱接着により、本体部１５のうち、充填用貫通部１８に露出された部分を接合させる。
【００６４】
（第２の実施の形態）
図７は、本発明の第２の実施の形態に係る歯間ケア用具の側面図である。図７において、図１に示す第１の実施の形態の歯間ケア用具１０と同一構成部分には、同一符号を付す。
図８は、図７に示す歯間ケア用具をＤ視した図である。図８において、図２及び図７に示す構造体と同一構成部分には、同一符号を付す。
【００６５】
図７及び図８を参照するに、第２の実施の形態の歯間ケア用具５０は、第１の実施の形態の歯間ケア用具１０を構成するケア体１２（図１及び図２参照）に替えて、ケア体５１を有すること以外は、歯間ケア用具１０と同様に構成される。
ケア体５１は、ケア体１２を構成する支持部２４、及び誘導部２７に替えて、支持部５２、及び誘導部５４を有すること以外は、ケア体１２と同様に構成される。
【００６６】
支持部５２は、芯部２３の基部２３Ａを露出するように、図１及び図２に示す支持部２４の長さを短くしたこと以外は、支持部２４と同様に構成される。
このように、支持部５２が芯部２３の基部２３Ａを露出することで、支持部５２と基部２３Ａとの境界には、支持部５２の厚さ分の段差が形成されている。
【００６７】
誘導部５４は、一対のガイド壁５６，５７と、一対のガイド壁５６，５７間に位置する芯部２３（具体的には、基部２３Ａ）の表面２３ａと、一対のガイド壁５６，５７間に位置する支持部５２と、で構成されている。
一対のガイド壁５６，５７は、本体部１５の接続面１５ａとケア部２６−１との間に配置されている。一対のガイド壁５６，５７は、Ｙ方向において対向すると共に、吐出口１９Ａを挟み込むように配置されている。
【００６８】
ガイド壁５６は、Ｘ方向に延在しており、一方の端が本体部１５の接続面１５ａと接続されており、他方の端がケア部２６−１と接続されている。ガイド壁５６は、Ｚ方向にも延在しており、その下端は、支持部５２に露出された基部２３Ａ、及び接続面１５ａとケア部２６−１との間に位置する支持部５２と接続されている。
【００６９】
ガイド壁５７は、Ｘ方向に延在しており、一方の端が本体部１５の接続面１５ａと接続されており、他方の端がケア部２６−１と接続されている。ガイド壁５７は、Ｚ方向にも延在しており、その下端は、支持部５２に露出された基部２３Ａ、及び接続面１５ａとケア部２６−１との間に位置する支持部５２と接続されている。
【００７０】
Ｙ方向における一対のガイド壁５６，５７の厚さは、例えば、先に説明した図２に示すガイド壁３１，３２と同じ厚さにすることができる。また、一対のガイド壁５６，５７間の間隔についても、先に説明したガイド壁３１，３２の間隔と同じ間隔にすることができる。
【００７１】
第２の実施の形態の歯間ケア用具によれば、Ｘ方向に延在しており、一方の端が本体部１５の接続面１５ａと接続されると共に、他方の端がケア部２６−１と接続され、かつ下端が支持部５２に露出された基部２３Ａ、及び接続面１５ａとケア部２６−１との間に位置する支持部５２と接続された一対のガイド壁５６，５７と、一対のガイド壁５６，５７間に位置する芯部２３（具体的には、基部２３Ａ）の表面２３ａと、一対のガイド壁５６，５７間に位置する支持部５２と、で構成された誘導部５４を有することで、ケア部２６−１と接続面１５ａとの間に位置する支持部５２と芯部２３の基部２３Ａとの間に段差がある場合でも、該段差が障害となることなく、ケア部２６−１に吐出口１９Ａから吐出された口腔組成物を効率良く供給することができる。
【００７２】
第２の実施の形態の歯間ケア用具５０は、第１の実施の形態の歯間ケア用具１０と同様な手法により製造することができる。
【００７３】
なお、第２の実施の形態では、一例として、吐出用貫通部１９を用いた場合を例に挙げて説明したが、吐出用貫通部１９に替えて、図５に示す吐出用貫通部３８、或いは、図６に示す吐出用貫通部４３を用いてもよい。
また、第２の実施の形態では、一対のガイド壁５６，５７をＺ方向に延在させた場合を例に挙げて説明したが、図６に示す一対のガイド壁３１，３２のように、一対のガイド壁５６，５７を逆ハの字型となるように、Ｚ方向に対して傾斜するように、一対のガイド壁５６，５７を延在させてもよい。
【００７４】
また、第２の実施の形態では、一対のガイド壁５６，５７、及び芯部２３（具体的には、基部２３Ａ）の表面２３ａにより、誘導部５４を構成した場合を例に挙げて説明したが、誘導部５４に替えて、誘導部５４の形成領域に対応する芯部２３及び支持部５２に、凹部（図示せず）を設け、該凹部を誘導部として用いてもよい。
【００７５】
この場合、ケア体である歯間ブラシ体の軸部内部に薬剤を流通させるための流通路を有する特許文献３に開示された薬剤一体型ケア具のケア体と比較して、ケア体の強度を十分に確保することが可能となる。
したがって、上記凹部を誘導部として用いることで、ケア体の強度を十分に確保できると共に、ケア体を構成するケア部に、口腔組成物吐出体内に収容された口腔組成物を効率良く供給することができる。
【００７６】
また、上記凹部は、一対のガイド壁５６，５７間において、芯部２３と支持部２４との境界に形成される段差をなくすように形成するとよい。これにより、該凹部により、ケア部２６−１に口腔組成物を供給しやすくすることができる。
【００７７】
（第３の実施の形態）
図９は、本発明の第３の実施の形態に係る歯間ケア用具の側面図である。図９において、図１に示す第１の実施の形態の歯間ケア用具１０と同一構成部分には、同一符号を付す。
図１０は、図９に示す歯間ケア用具をＦ視した図である。図１０において、図２及び図９に示す構造体と同一構成部分には、同一符号を付す。図１０では、図９に点線で示す芯部２３の図示を省略する。
図１１は、図９に示す歯間ケア用具のＥ−Ｅ線方向の切断面をＧ視した図である。図１１において、図９及び図１０に示す構造体と同一構成部分には、同一符号を付す。
【００７８】
図９〜図１１を参照するに、第３の実施の形態の歯間ケア用具６０は、第１の実施の形態の歯間ケア用具１０を構成するケア体１２（図１及び図２参照）に替えて、ケア体６１を有すること以外は、歯間ケア用具１０と同様に構成される。
ケア体６１は、ケア体１２を構成する誘導部２７に替えて、誘導部６３を有すると共に、誘導部６３の配設領域に位置する一部のケア部２６（ケア部２６−１を含む４つのケア部２６）に、切欠き部２６Ａを形成したこと以外は、第１の実施の形態で説明したケア体１２と同様に構成される。
【００７９】
誘導部６３は、一対のガイド壁６５，６６と、芯部２３に設けられた平坦面２３ｃと、を有する。
ガイド壁６５は、芯部２３の先端側に図２に示すガイド壁３１を延在させた構成とされている。ガイド壁６５は、Ｘ方向に配置された複数のケア部２６（図９及び図１０の場合、一例として、１３個のケア部２６を図示）のうち、４個のケア部２６（ケア部２６−１を含む）を貫通するように設けられている。
ガイド壁６５は、その一方の端が本体部１５の接続面１５ａと接続されており、他方の端が接続面１５ａ側から数えて５個目のケア部２６（以下、説明の便宜上、このケア部２６を「ケア部２６−２」という）と接続されている。
【００８０】
ガイド壁６６は、芯部２３の先端側に図２に示すガイド壁３２を延在させた構成とされている。つまり、ガイド壁６６は、Ｙ方向において、ガイド壁６５と対向するように配置されている。
ガイド壁６６は、Ｘ方向に配置された複数のケア部２６のうち、４個のケア部２６（ケア部２６−１を含む）を貫通するように設けられている。ガイド壁６６は、その一方の端が本体部１５の接続面１５ａと接続されており、他方の端がケア部２６−２と接続されている。
上記一対のガイド壁６５，６６は、支持部２４と一体に構成されている。平坦面２３ｃを基準としたときの一対のガイド壁６５，６６の高さは、例えば、８００μｍとすることができる。
【００８１】
平坦面２３ｃは、一対のガイド壁６５，６６間に位置する芯部２３に設けられた平坦な面である。
一対のガイド壁６５，６６、及び芯部２３の平坦面２３ｃは、ケア部２６−１、ケア部２６−１とケア部２６−２との間に配置された３つのケア部２６、及びケア部２６−２に、吐出口１９Ａから吐出された口腔組成物を供給するための溝部を区画している。
【００８２】
切欠き部２６Ａは、ケア部２６−１、及びケア部２６−１とケア部２６−２との間に配置された３つのケア部２６に設けられている。
切欠き部２６Ａは、ケア部２６−１、及びケア部２６−１とケア部２６−２との間に配置された３つのケア部２６のうち、平坦面２３ｃの上方に位置する部分を除去するように配置されている。
【００８３】
上記第３の実施の形態の歯間ケア用具６０は、第１の実施の形態の歯間ケア用具１０と同様な手法により製造することができる。
【００８４】
第３の実施の形態の歯間ケア用具によれば、Ｘ方向において、複数のケア部２６のうち、いくつかのケア部２６（図９及び１０の場合、ケア部２６−１を含む４個）を貫通する一対のガイド壁６５，６６、及び一対のガイド壁６５，６６間に配置された平坦面２３ｃを含む誘導部６３と、一対のガイド壁６５，６６が貫通するケア部２６に設けられた切欠き部２６Ａと、を有することで、一対のガイド壁６５，６６が貫通する複数のケア部２６（図９及び図１０の場合、一例として、４個のケア部２６）に口腔組成物を供給することができる。
【００８５】
なお、上記第３の実施の形態の歯間ケア用具６０は、第１の実施の形態の歯間ケア用具１０と同様な効果（具体的には、ケア体６１の強度を十分に確保した上で、ケア体６１を構成する複数のケア部２６に、口腔組成物吐出体１１内に収容された口腔組成物を効率良く供給することができるという効果）を得ることができる。
また、図９及び図１０では、一対のガイド壁６５，６６の一例として、Ｘ方向に配置された４個のケア部２６を貫通する場合を例に挙げて説明したが、一対のガイド壁６５，６６が貫通するケア部２６の数は、１個以上であればよく、４個に限定されない。
【００８６】
また、第３の実施の形態では、一対のガイド壁６５，６６、及び芯部２３の平坦面２３ｃにより、誘導部６３を構成した場合を例に挙げて説明したが、誘導部６３に替えて、誘導部６３の形成領域に対応する芯部２３に、凹部（図示せず）を設け、該凹部を誘導部として用いてもよい。
【００８７】
この場合、ケア体である歯間ブラシ体の軸部内部に薬剤を流通させるための流通路を有する特許文献３に開示された薬剤一体型ケア具のケア体と比較して、ケア体の強度を十分に確保することが可能となる。
したがって、この場合、ケア体の強度を十分に確保した上で、ケア体を構成するケア部に、口腔組成物吐出体内に収容された口腔組成物を効率良く供給することができる。
【００８８】
（第４の実施の形態）
図１２は、本発明の第４の実施の形態に係る歯間ケア用具の側面図である。図１２において、図１に示す第１の実施の形態の歯間ケア用具１０と同一構成部分には、同一符号を付す。
図１３は、図１２に示す歯間ケア用具をＨ視した図である。図１３において、図２及び図１２に示す構造体と同一構成部分には、同一符号を付す。図１３では、図１２に点線で示す芯部２３の図示を省略する。
【００８９】
図１２及び図１３を参照するに、第４の実施の形態の歯間ケア用具７０は、第１の実施の形態の歯間ケア用具１０を構成するケア体１２（図１及び図２参照）に替えて、ケア体７１を有すること以外は、歯間ケア用具１０と同様に構成される。
ケア体７１は、第１の実施の形態で説明したケア体１２を構成する複数のケア部２６に替えて、複数のケア部７３を有すること以外は、ケア体１２と同様に構成される。
【００９０】
複数のケア部７３は、支持部２４の周方向及び延在方向（Ｘ方向）に所定の間隔で配置されている。ケア部７３は、支持部２４の周方向において、離間した状態で十字状に４個配置されている。
複数のケア部７３は、支持部２４から離間する方向に突出する円錐状の突起体である。複数のケア部７３は、接続面１５ａから芯部２３の先端に向かうにつれて、サイズが小さくなるように構成されている。
複数のケア部７３は、支持部２４と一体とされている。複数のケア部７３の材料としては、第１の実施の形態で説明したケア部２６と同様な材料を用いることができる。
【００９１】
誘導部２７は、複数のケア部７３のうち、接続面１５ａに近接して配置され、かつ吐出口１９Ａと対向するように配置されたケア部７３（以下、説明の便宜上、このケア部７３を「ケア部７３−１」という）に、吐出口１９Ａから吐出された口腔組成物を供給する。
誘導部２７により区画される溝部のＹ方向の幅は、例えば、ケア部７３−１の基部のＹ方向の幅よりも広くするとよい。
このように、誘導部２７により区画される溝部のＹ方向の幅を、ケア部７３−１の基部のＹ方向の幅よりも広くすることで、支持部２４の周方向に口腔組成物が供給されやすくなるため、該周方向に配置された複数のケア部７３に口腔組成物を効率良く供給することができる。
【００９２】
上記説明したように、第１の実施の形態で説明した薄板リング形状とされた複数のケア部２６に替えて、支持部２４の周方向及び延在方向（Ｘ方向）に所定の間隔で配置された円錐形状の複数のケア部７３を用いてもよく、このような構成とされた第３の実施の形態の歯間ケア用具７０は、第１の実施の形態の歯間ケア用具１０と同様な効果（具体的には、ケア体７１の強度を十分に確保した上で、ケア体７１を構成する複数のケア部７３（ケア部７３−１を含む）に、口腔組成物吐出体１１内に収容された口腔組成物を効率良く供給することができるという効果）を得ることができる。
【００９３】
また、図１２及び図１３では、一例として、支持部２４の周方向に十字状に４個のケア部７３を配置させた場合を例に挙げて説明したが、支持部２４の周方向に配置するケア部７３の数は、複数であればよく、４個に限定されない。
さらに、図１２及び図１３では、ケア部７４の形状の一例として、円錐形状を例に挙げて説明したが、ケア部７４の形状は、口腔組成物を保持可能な形状であればよく、円錐形状に限定されない。
【００９４】
また、第４の実施の形態では、一対のガイド壁３１，３２、及び芯部２３の表面２３ａにより、誘導部２７を構成した場合を例に挙げて説明したが、誘導部２７に替えて、誘導部２７の形成領域に対応する芯部２３に、凹部（図示せず）を設け、該凹部を誘導部として用いてもよい。
【００９５】
第４の実施の形態の歯間ケア用具７０は、第１の実施の形態の歯間ケア用具１０と同様な手法により製造することができる。
【００９６】
図１４は、第４の実施の形態の変形例に係るケア体の側面図である。図１４において、図９及び図１２に示す構造体と同一構成部分には、同一符号を付す。
図１５は、図１４に示すケア体のＩ−Ｉ線方向の断面図である。図１５において、図９〜図１２に示す構造体と同一構成部分には、同一符号を付す。
【００９７】
図１４及び図１５を参照するに、第４の実施の形態の変形例に係るケア体７５は、誘導部２７（図１２及び図１３参照）に替えて、第３の実施の形態で説明した誘導部６３を有し、かつ誘導部６３を構成する一対のガイド壁６５，６６間に配置された複数のケア部７３（図１４の場合、一例として４個のケア部７３（ケア部７３−１を含む））を芯部２３と一体に構成したこと以外は、図１２及び図１３に示すケア体７１と同様に構成される。
【００９８】
上記構成とされたケア体７５によれば、一対のガイド壁６５，６６間に、Ｘ方向に配置された複数のケア部７３を挟み込むことで、Ｘ方向に配置された複数のケア部７３に口腔組成物を供給させることができる。
【００９９】
なお、図１５では、一例として、図６に示す一対のガイド壁３１，３２ように、逆ハの字型に一対のガイド壁６５，６６を突出（言い換えれば、Ｚ方向に対して傾斜する方向に突出）させた場合を例に挙げて図示したが、図１５に示す一対のガイド壁６５，６６は、図１１に示す一対のガイド壁６５，６６のように、Ｚ方向に延在するように、突出させてもよい。
また、図１５では、誘導部６３の構成要素として、平坦面２３ｃを用いた場合を例に挙げて説明したが、平端面２３ｃに替えて、図３に示す湾曲した表面２３ａを用いてもよい。
【０１００】
上記第４の実施の形態の変形例に係るケア体７５では、一対のガイド壁６５，６６、及び芯部２３の平坦面２３ｃにより、誘導部６３を構成した場合を例に挙げて説明したが、誘導部６３に替えて、誘導部６３の形成領域に対応する芯部２３に、凹部（図示せず）を設け、該凹部を誘導部として用いてもよい。
この場合、誘導部６３の形成領域に対応するケア部７３は、該凹部の底面からＺ方向に突出するように配置させるとよい。
【０１０１】
（第５の実施の形態）
図１６は、本発明の第５の実施の形態に係る歯間ケア用具の側面図である。図１６において、図１に示す第１の実施の形態の歯間ケア用具１０と同一構成部分には、同一符号を付す。
図１７は、図１６に示す歯間ケア用具のＪ−Ｊ線方向の断面をＫ視した図である。図１７において、図１６に示す構造体と同一構成部分には、同一符号を付す。
【０１０２】
図１６及び図１７を参照するに、第５の実施の形態の歯間ケア用具８０は、第１の実施の形態の歯間ケア用具１０を構成するケア体１２（図１及び図２参照）に替えて、ケア体８１を有すること以外は、歯間ケア用具１０と同様に構成される。
ケア体８１は、ケア体１２を構成する複数のケア部２６、及び誘導部２７に替えて、羽状ケア部８３〜８６、及び誘導部８８を有すること以外は、第１の実施の形態で説明したケア体１２と同様に構成される。
【０１０３】
羽状ケア部８３は、支持部２４の上部側に設けられており、支持部２４の外周面からＹ方向と成す角度が４５度となる方向に突出している。羽状ケア部８３は、支持部２４と一体に構成されている。
羽状ケア部８３は、一方の端が接続面１５ａと接続されており、他方の端が支持部２４の先端まで延在している。
【０１０４】
羽状ケア部８４は、支持部２４の上部側に設けられており、支持部２４の外周面からＹ方向と成す角度が１３５度となる方向に突出している。羽状ケア部８４は、一方の端が接続面１５ａと接続されており、他方の端が支持部２４の先端まで延在している。
羽状ケア部８４は、羽状ケア部８３と同様な部材であり、支持部２４と一体に構成されている。羽状ケア部８４は、羽状ケア部８３とのなす角度が９０度とされている。羽状ケア部８３，８４間には、吐出口１９Ａが配置されている。
【０１０５】
羽状ケア部８５は、支持部２４の下部側に設けられており、支持部２４及び芯部２３を介して、羽状ケア部８３と対向するように配置されている。羽状ケア部８５は、支持部２４と一体に構成されている。
羽状ケア部８５は、一方の端が接続面１５ａと接続されており、他方の端が支持部２４の先端まで延在している。羽状ケア部８５は、羽状ケア部８３と同様な形状とされている。
【０１０６】
羽状ケア部８６は、支持部２４の下部側に設けられており、支持部２４及び芯部２３を介して、羽状ケア部８４と対向するように配置されている。羽状ケア部８６は、支持部２４と一体に構成されている。
羽状ケア部８６は、一方の端が接続面１５ａと接続されており、他方の端が支持部２４の先端まで延在している。羽状ケア部８６は、羽状ケア部８３と同様な形状とされている。
上記説明したように、羽状ケア部８３〜８６は、十字状に配置されている。羽状ケア部８３〜８６の材料としては、例えば、支持部２４と同じ材料を用いることができる。
【０１０７】
誘導部８８は、羽状ケア部８３の基部８３Ａと、羽状ケア部８４の基部８４Ａと、羽状ケア部８３，８４間に配置された支持部２４の表面２４ａと、で区画されている。誘導部８８は、接続面１５ａから支持部２４の先端まで延在する溝部である。
【０１０８】
第５の実施の形態の歯間ケア用具によれば、接続面１５ａから支持部２４の先端に延在し、吐出口１９Ａを挟むように、支持部２４の上部側に配置された羽状ケア部８３，８４を有することで、別途、口腔組成物を誘導する誘導部を設けることなく、羽状ケア部８３の基部８３Ａと、羽状ケア部８４の基部８４Ａと、羽状ケア部８３，８４間に配置された支持部２４の表面２４ａと、で誘導部８８を区画することができる。
また、誘導部８８を構成する羽状ケア部８３，８４が、口腔組成物を誘導するガイド壁として機能するため、接続面１５ａから支持部２４の先端までの区間に、吐出口１９Ａから吐出された口腔組成物を供給することができる。
【０１０９】
第５の実施の形態の歯間ケア用具８０は、第１の実施の形態の歯間ケア用具１０と同様な手法により製造することができる。
【０１１０】
なお、図１７では、一例として、支持部２４の周方向に４個の羽状ケア部（具体的には、羽状ケア部８３〜８６）を配置させた場合を例に挙げて説明したが、支持部２４の周方向に配置する羽状ケア部の数は複数であればよく、４個に限定されない。
また、図１６及び図１７では、支持部２４に対して、直線状に羽状ケア部８３〜８６を配置させた場合を例に挙げて説明したが、直線状の羽状ケア部８３〜８６に替えて、例えば、支持部２４に対して、曲線状に複数の羽状ケア部を配置させてもよい。
【０１１１】
また、図１６及び図１７では、一例として、円形とされた吐出口１９Ａを図示したが、吐出口の形状は、これに限定されない。また、吐出口１９Ａの形成位置は、羽状ケア部８３，８４間であればよく、図１７に示す位置に限定されないが、支持部２４の表面２４ａの近傍に配置することが好ましい。
【０１１２】
（第６の実施の形態）
図１８は、本発明の第６の実施の形態に係る歯間ケア用具の側面図であり、歯間ケア用具を構成する本体部からキャップ部を外した状態を模式的に示す図である。図１８において、図１に示す第１の実施の形態の歯間ケア用具１０と同一構成部分には、同一符号を付す。
図１９は、図１８に示すキャップ部を本体部に装着させた歯間ケア用具の側面図である。図１９において、図１８に示す構造体と同一構成部分には、同一符号を付す。
【０１１３】
図１８及び図１９を参照するに、第６の実施の形態の歯間ケア用具９０は、第１の実施の形態の歯間ケア用具１０を構成する口腔組成物吐出体１１に替えて、口腔組成物吐出体９１及びキャップ部９２を有すること以外は、歯間ケア用具１０と同様に構成される。
口腔組成物吐出体９１は、充填用貫通部１８及び吐出用貫通部１９を構成要素から除き、これらに替えて、おねじ部９４と、おねじ部９４の中央を貫通し、かつ中空部１６と接続された充填口９５と、を有する。
【０１１４】
キャップ部９２は、ケア体１２と一体に構成されている。ケア体１２は、キャップ部９２の接続面９２ａに配置されている。
キャップ部９２は、おねじ部９４を収容する収容部９７と、収容部９７の側壁に設けられ、おねじ部９４と螺合するめねじ部９８と、収容部９７と接続面９２ａとの間に位置するキャップ部９２を貫通する吐出用貫通部１９と、を有する。
【０１１５】
上記構成とされた第６の実施の形態の歯間ケア用具９０は、ケア体１２と一体とされたキャップ部９２が口腔組成物吐出体９１に対して着脱可能な構成とされているため、使用者が中空部１６内に何度も口腔組成物を補充することができる。
また、ケア体１２が摩耗した場合には、ケア体１２及びキャップ部９２を交換すればよいので（言い換えれば、歯間ケア用具９０全体を交換する必要がないので）、経済的である。
【０１１６】
また、別途、キャップ部（具体的には、ケア体１２が接続されていなくて、かつ吐出用貫通部１９を有していないキャップ部）を準備し、歯間ケア用具９０を使用しないときには、該キャップ部を本体部１１に装着させることで、本体部１１の外に口腔組成物が漏れることを防止できる。
【０１１７】
また、歯間ケア用具９０を使用しない場合には、キャップ部９２の吐出用貫通部１９から口腔組成物が吐出することを防止するための突起部を有し、かつケア体１２全体を収容可能な保管用キャップ（図示せず）をキャップ部９２に装着させてもよい。
このような保管用キャップを用いることで、歯間ケア用具９０を使用しないときに、本体部１１の外に口腔組成物が漏れることを防止できると共に、ケア体１２に汚れが付着することを抑制できる。
【０１１８】
ここで、第６の実施の形態の歯間ケア用具９０の製造方法について説明する。
始めに、射出成型により、図示していない第１の金型（キャップ部９２及び芯部２３の形状に対応する中空部を有する金型）内に合成樹脂（キャップ部９２及び芯部２３の母材）を射出することで、キャップ部９２及び芯部２３を成型する。その後、第１の金型から、一体成型されたキャップ部９２及び芯部２３を取り出す。
次いで、ケア部２６の形状に対応した中空部を有する第２の金型（図示せず）内の該中空部に、成型されたキャップ部９２及び芯部２３を収容させる。
【０１１９】
次いで、軟質素材を支持部２４及び複数のケア部２６の母材とする射出成型により、第２の金型内に該軟質素材を射出することで、支持部２４及び複数のケア部２６を成型する。
口腔組成物吐出体９１は、合成樹脂で作製したパリソンを金型（図示せず）に収容し、ブロー成形により口腔組成物吐出体９１に中空部１６を成型することで製造する。次いで、中空部１６に口腔組成物を充填し、その後、充填口９５アルミフィルム等で封印する。
【０１２０】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【０１２１】
例えば、第１ないし第６の実施の形態では、ケア体１２，１５，６１，７１，７５，８１として、ノンワイヤのケア体を例に挙げて説明したが、本発明は、特許文献１に開示されたようなワイヤを捻ってなるブラシを有するケア体を備えた歯間ケア用具にも適用可能である。
【産業上の利用可能性】
【０１２２】
本発明は、ケア体を構成する複数のケア部に、口腔組成物吐出体内に収容された口腔組成物を供給し、該複数のケア部により、歯間のケアを行う歯間ケア用具に適用できる。
【符号の説明】
【０１２３】
１０，５０，６０，７０，８０，９０…歯間ケア用具、１１，９１…口腔組成物吐出体、１２，５１，６１，７１，７５，８１…ケア体、１５…本体部、１５ａ，９２ａ…接続面、１６…中空部、１８…充填用貫通部、１９，３８，４３…吐出用貫通部、１９Ａ，３８Ａ，４３Ａ…吐出口、２３…芯部、２３ａ，２４ａ…表面、２３ｂ，２３ｃ…平坦面、２３Ａ…基部、２４，５２…支持部、２６，２６−１，２６−２，７３，７３−１…ケア部、２６Ａ…切欠き部、２７，３５，４１，５４，６３，８８…誘導部、３１，３２，５６，５７，６５，６６…ガイド壁、８３〜８６…羽状ケア部、９２…キャップ部、９４…おねじ部、９５…充填口、９７…収容部、９８…めねじ部、Ｍ１…厚さ
【図１】
2015204905.tif 000003
【図２】
2015204905.tif 000004
【図３】
2015204905.tif 000005
【図４】
2015204905.tif 000006
【図５】
2015204905.tif 000007
【図６】
2015204905.tif 000008
【図７】
2015204905.tif 000009
【図８】
2015204905.tif 000010
【図９】
2015204905.tif 000011
【図１０】
2015204905.tif 000012
【図１１】
2015204905.tif 000013
【図１２】
2015204905.tif 000014
【図１３】
2015204905.tif 000015
【図１４】
2015204905.tif 000016
【図１５】
2015204905.tif 000017
【図１６】
2015204905.tif 000018
【図１７】
2015204905.tif 000019
【図１８】
2015204905.tif 000020
【図１９】
2015204905.tif 000021